(57)【要約】      （修正有）【課題】螺子を使用せず、互いに組付けて結合することができ、組付作業が簡略化され、製品の不良率を減少できるＬＥＤ電球用組合せ式放熱構造を提供する。【解決手段】スリーブ１１と、スリーブ内に設けられて回路板１４を収容する収容空間と、を備え、スリーブは、スリーブの周面に設けられる第１の押付部１１２と、スリーブの側辺に設けられる少なくとも一つの第１の結合部１１１と、を備えるランプソケット１０と、スリーブが挿入でき、その一端の開口の周縁が第１の押付部に押付ける貫通孔２１とを備える。さらに又、少なくとも一つの放熱フィン２２と、を備える放熱マスク２０と、第１の結合部１１１と結合する第２の結合部３２と、第１の押付部と共に、放熱マスクの両側から放熱マスクを押付ける第２の押付部３３と、を備え、回路板１４と電気的に接続するＬＥＤ照明器具４０を組付け可能であるランプ枠３０と、を含む。【選択図】図１
0003177084.tif 000002
【実用新案登録請求の範囲】
【請求項１】
スリーブ（１１）と、前記スリーブ（１１）内に設けられて回路板（１４）を収容する収容空間（１２）と、を備え、前記スリーブ（１１）は、前記スリーブ（１１）の周面に設けられる第１の押付部（１１２）と、前記スリーブ（１１）の側辺に設けられる少なくとも一つの第１の結合部（１１１）と、を備えるランプソケット（１０）と、
前記スリーブ（１１）が挿入でき、その一端の開口の周縁が前記第１の押付部（１１２）に押付ける貫通孔（２１）と、少なくとも一つの放熱フィン（２２）と、を備える放熱マスク（２０）と、
前記第１の結合部（１１１）と結合する第２の結合部（３２）と、前記第１の押付部（１１２）と共に、前記放熱マスク（２０）の両側から前記放熱マスク（２０）を押付ける第２の押付部（３３）と、を備え、前記回路板（１４）と電気的に接続するＬＥＤ照明器具（４０）を組付け可能であるランプ枠（３０）と、
を含み、
前記放熱マスク（２０）の両側から、前記第１の押付部（１１２）と前記第２の押付部（３３）とが前記放熱マスク（２０）に押付けることにより、前記ランプソケット（１０）、前記放熱マスク（２０）及び前記ランプ枠（３０）を緊密に結合できることを特徴とするＬＥＤ電球用組合せ式放熱構造。
【請求項２】
前記放熱マスク（２０）は、
前記スリーブ（１１）に嵌め設けられる放熱部（２３）と、
前記放熱部（２３）に設けられ、前記第２の押付部（３３）の一端に対応するアルミ基板（２４）と、
を含むことを特徴とする、請求項１に記載のＬＥＤ電球用組合せ式放熱構造。
【請求項３】
前記ランプ枠（３０）は第１の定位部（３４）を含み、前記アルミ基板（２４）は、前記第１の定位部（３４）に合せて定位することが可能である第２の定位部（２４１）を含むことを特徴とする、請求項２に記載のＬＥＤ電球用組合せ式放熱構造。
【請求項４】
前記放熱マスク（２０）に組合せられ、前記ランプ枠（３０）を収容する笠（５０）を含むことを特徴とする、請求項１に記載のＬＥＤ電球用組合せ式放熱構造。
【請求項５】
前記笠（５０）には、前記ＬＥＤ照明器具（４０）が挿通可能な貫通孔（５１）が設けられることを特徴とする、請求項４に記載のＬＥＤ電球用組合せ式放熱構造。
【請求項６】
前記第１の結合部（１１１）は係合溝であり、前記第２の結合部（３２）は前記第１の結合部（１１１）と係合可能な係合フックであることを特徴とする、請求項１に記載のＬＥＤ電球用組合せ式放熱構造。
【請求項７】
前記ランプソケット（１０）は、外部の電源と電気的に接続して、前記回路板（１４）に電力を供給する金属ジョイント（１３）を含むことを特徴とする、請求項１に記載のＬＥＤ電球用組合せ式放熱構造。
【請求項８】
前記ＬＥＤ照明器具（４０）は第１の嵌合部（４１）を含み、前記ランプ枠（３０）は、前記第１の嵌合部（４１）と嵌合する第２の嵌合部（３１）を含むことを特徴とする、請求項１に記載のＬＥＤ電球用組合せ式放熱構造。
【考案の詳細な説明】
【技術分野】
【０００１】
本考案は、ＬＥＤ電球用組合せ式放熱構造に関し、特に、螺子を使用せず、全体を緊密に組合せ可能なＬＥＤ電球用組合せ式放熱構造に関するものである。
【背景技術】
【０００２】
従来の電球は、タングステンワイヤを発光源とし、構成が簡素であるため、取付及び交換が簡単である。タングステンワイヤを発光源とする電球は、その尾部にアダプターが設けられ、前記アダプターが螺旋を有し、前記螺旋によりランプソケットに螺合することができる。電源をオンにすると、電球内にあるタングステンワイヤが発光して、その光線が外部に射出する。これにより、周囲を明るく照らすという目的を達成できる。しかし、このような電球を使用しているときには、大量の熱が発生するため電力が浪費され、そしてタングステンワイヤが焼損しやすいため、電球の寿命は短い。
【０００３】
発光ダイオード（ｌｉｇｈｔ  ｅｍｉｔｔｉｎｇ  ｄｉｏｄｅ，ＬＥＤ）は、電気エネルギーを光エネルギーに変換するためのものであり、エピタキシー成長技術と半導体材料の製造プロセスとにより作製される。発光ダイオードは、体積が小さく、駆動電圧が低く、応答速度が速い。さらに耐震であり、寿命が長く、地球環境に優しい。科学技術の進展に従って、発光ダイオードの発光効率は１９６０年代以来増加しており、タングステンワイヤを発光源とする電球の発光効率（１０〜２０ｌｍ／Ｗ）を超え、蛍光灯の発光効率（６０〜８０ｌｍ／Ｗ）をも超える。ＬＥＤは関連技術が持続的に発展しており、近い将来には、１００ｌｍ／Ｗの発光効率を達成できる。ＬＥＤは新世代の光源として注目され、且つ電子製品はより軽薄短小になる傾向が強いため、電球型発光ダイオードは、タングステンワイヤを発光源とする電球の代わりに、大量で広汎に利用される照明装置となる。すなわち、ＬＥＤは、交通信号、街灯、家庭用照明ランプ、車両用ランプ及び広告用ランプなどの用途に広汎に利用されるため、照明市場の主流となる傾向は強い。
【０００４】
しかし、パワー及び光度が高いほど、発光ダイオード、又はそのモジュールから大量の熱が出るため、体積が相対的に小さい発光ダイオードは効率良く放熱できない。このため、パワー及び光度が高い発光ダイオード照明器具の発展の最大のネックは放熱技術にある。現在、ＬＥＤ業者の間で通用している放熱方法としては、照明器具の内部に放熱器を設けて、前記放熱器の表面が対流している空気と接触することにより、熱を大気に放出することができる。ハイパワー及び高光度の発光ダイオードの熱を十分に放熱して、光度減衰を防止するために、放熱器は広い放熱面積が必要である。しかし、放熱器の放熱面積が広くなると放熱器の体積が大きくなり、照明器具全体の体積も大きくなる。そうすると、ＬＥＤ電球の室内照明への応用は困難となる。
【０００５】
上記の問題を解決するために、特許文献１の台湾特許第Ｍ３４３７６８号の「ＬＥＤランプ用放熱構造」が提案された。このようなＬＥＤランプ用放熱構造は、外ケースの組付穴の周縁に定位凸縁が設けられ、前記定位凸縁に収容穴が形成され、前記収容穴の両側には、第１の結合板と第２の結合板とが貼り付けており、前記第１の結合板に制御チップが設けられ、前記第２の結合板にＬＥＤランプが設けられ、前記収容穴に熱伝導性付き液体又は放熱膏を設けて、前記第１の結合板及び前記第２の結合板により前記収容穴の両側を閉鎖する。このように放熱面積を増加でき放熱効果を向上できる。
【０００６】
しかしながら、このようなＬＥＤランプ用放熱構造は、螺子により、前記外ケース、前記第１の結合板及び前記第２の結合板を組付けるため、ねじ穴を加工する工程が必要である。そして螺子をねじ込んでいるときに、トルクが適正ではないと前記外ケースが亀裂する可能性があり、これにより製品の不良率が増加する問題があった。
【先行技術文献】
【特許文献】
【０００７】
【特許文献１】台湾特許第Ｍ３４３７６８号公報
【考案の概要】
【考案が解決しようとする課題】
【０００８】
本考案の主な目的は、螺子を使用せず互いに組付けて結合することができ、組付作業が簡単で、製品の不良率を減少できるＬＥＤ電球用組合せ式放熱構造を提供することにある。
【課題を解決するための手段】
【０００９】
本考案のＬＥＤ電球用組合せ式放熱構造によると、スリーブ１１と、スリーブ１１内に設けられて回路板１４を収容する収容空間１２と、を備え、スリーブ１１は、スリーブ１１の周面に設けられる第１の押付部１１２と、スリーブ１１の側辺に設けられる少なくとも一つの第１の結合部１１１と、を備えるランプソケット１０と、スリーブ１１が挿入でき、その一端の開口の周縁が第１の押付部１１２に押付ける貫通孔２１と、少なくとも一つの放熱フィン２２と、を備える放熱マスク２０と、第１の結合部１１１と結合する第２の結合部３２と、第１の押付部１１２と共に、放熱マスク２０の両側から放熱マスク２０を押付ける第２の押付部３３と、を備え、回路板１４と電気的に接続するＬＥＤ照明器具を組付け可能であるランプ枠３０と、を含み、放熱マスク２０の両側から、第１の押付部１１２と第２の押付部３３とが放熱マスク２０に押付けることにより、ランプソケット１０、放熱マスク２０及びランプ枠３０を緊密に結合できることを特徴とする。
【００１０】
本考案のＬＥＤ電球用組合せ式放熱構造によると、放熱マスク２０は、スリーブ１１に嵌め設けられる放熱部２３と、放熱部２３に設けられ、第２の押付部３３の一端に対応するアルミ基板２４と、を含むことを特徴とする。
【００１１】
本考案のＬＥＤ電球用組合せ式放熱構造によると、ランプ枠３０は第１の定位部３４を含み、アルミ基板２４は第１の定位部３４に合せて定位することが可能である第２の定位部２４１を含むことを特徴とする。
【００１２】
本考案のＬＥＤ電球用組合せ式放熱構造によると、更に、放熱マスク２０に組合せられ、ランプ枠３０を収容する笠５０を含むことを特徴とする。
【００１３】
本考案のＬＥＤ電球用組合せ式放熱構造によると、笠５０には、ＬＥＤ照明器具４０が挿通可能な貫通孔５１が設けられることを特徴とする。
【００１４】
本考案のＬＥＤ電球用組合せ式放熱構造によると、第１の結合部１１１は係合溝であり、第２の結合部３２は第１の結合部１１１と係合可能な係合フックであることを特徴とする。
【００１５】
本考案のＬＥＤ電球用組合せ式放熱構造によると、ランプソケット１０は、外部の電源と電気的に接続して、回路板１４に電力を供給する金属ジョイント１３を含むことを特徴とする。
【００１６】
本考案のＬＥＤ電球用組合せ式放熱構造によると、ＬＥＤ照明器具４０は第１の嵌合部４１を含み、ランプ枠３０は、第１の嵌合部４１と嵌合する第２の嵌合部３１を含むことを特徴とする。
【考案の効果】
【００１７】
本考案のＬＥＤ電球用組合せ式放熱構造によれば、螺子を使用せず、互いに組付けて結合することができ、組付作業が簡略化され、製品の不良率を減少できるという効果を有する。
【図面の簡単な説明】
【００１８】
【図１】本考案の一実施例の構成を示す分解斜視図である。
【図２】本考案の一実施例の構成を示す分解後方斜視図である。
【図３】本考案の一実施例の組合済み状態を示す断面図である。
【考案を実施するための形態】
【００１９】
以下、本考案の実施の形態を図面に基づいて説明する。
まず、図１及び図２を参照する。図１及び図２は本考案の一実施例の構成を示す分解斜視図及び分解後方斜視図である。本考案の一実施例のＬＥＤ電球用組合せ式放熱構造は、ランプソケット１０と、ランプソケット１０に嵌め設けられる放熱マスク２０と、ランプソケット１０に組合せられるランプ枠３０と、を含む。ランプソケット１０は、外部の電源と電気的に接続して電力を得る金属ジョイント１３と、金属ジョイント１３と連接するスリーブ１１と、スリーブ１１に設けられて回路板１４を収容する収容空間１２と、を含む。スリーブ１１の一端はランプ枠３０と連接する。ランプ枠３０には、回路板１４と電気的に接続するＬＥＤ照明器具４０が組み付けられる。このように、ＬＥＤ照明器具４０は、回路板１４によって処理された電力を得ることができる。
【００２０】
次に、本考案の一実施例の組付け構成の詳細を説明する。スリーブ１１は、スリーブ１１に設けられ、金属ジョイント１３の周面に設けられる第１の押付部１１２と、スリーブ１１の側辺に設けられる少なくとも一つの第１の結合部１１１と、を備える。放熱マスク２０は、スリーブ１１が挿入でき、スリーブ１１に組合せ可能な形状を呈する貫通孔２１を含む。スリーブ１１に放熱マスク２０を組付けたときには、スリーブ１１の第１の押付部１１２が放熱マスク２０の貫通孔２１に近接する一端の周面に押付ける。ランプ枠３０は、第１の結合部１１１と結合する第２の結合部３２と、第１の押付部１１２と共に、放熱マスク２０の両側から放熱マスク２０を押付ける第２の押付部３３と、を含む。
【００２１】
図３を参照する。図３は本考案の一実施例の組合済み状態を示す断面図である。スリーブ１１の第１の結合部１１１は係合溝であり、第２の結合部３２は第１の結合部１１１と係合可能な係合フックである。放熱マスク２０は、スリーブ１１に嵌め設けられる放熱部２３と、放熱部２３に設けられ、第２の押付部３３の一端に対応するアルミ基板２４と、を含む。放熱部２３には、アルミ基板２４を組付け可能な組付溝２３２が設けられる。放熱部２３は貫通孔２１の両側に設けられる案内溝２３１を含む。これにより、第２の結合部３２は案内溝２３１に進入できる。一方、図２に示すように、アルミ基板２４のランプ枠３０に近接する一端の周縁に第２の定位部２４１が設けられる。そして、ランプ枠３０の第２の押付部３３から第２の定位部２４１に組付け可能な第１の定位部３４が延びる。このように、放熱マスク２０にランプ枠３０を定位でき、ランプ枠３０及びスリーブ１１は放熱マスク２０に対してしっかりと固定される。
【００２２】
放熱マスク２０の放熱面積を増加するために、放熱マスク２０の周面には、更に放熱フィン２２が複数設けられる。放熱フィン２２により、ＬＥＤ照明器具４０の放熱を効率的に行うことができ、ひいてはＬＥＤ照明器具４０の温度を降下できる。ＬＥＤ照明器具４０を固定するために、本考案の一実施例では、更に放熱マスク２０に螺合されてランプ枠３０を収容する笠５０を含む。笠５０にはＬＥＤ照明器具４０を挿通可能な貫通孔５１が設けられる。笠５０の貫通孔５１に近接する内周面は、ＬＥＤ照明器具４０の上周面に押付けられる。このように、ランプ枠３０にＬＥＤ照明器具４０を固定できる。一方、ＬＥＤ照明器具４０がランプ枠３０に対して不安定となり揺れてしまうことを回避するために、ＬＥＤ照明器具４０は、更に第１の嵌合部４１を含み、ランプ枠３０には第１の嵌合部４１と嵌合する第２の嵌合部３１が設けられる。このように、ランプ枠３０にＬＥＤ照明器具４０を定位できる。
【００２３】
次に、図１乃至図３を参照しながら本考案の一実施例の組付方法を説明する。まず、放熱マスク２０の貫通孔２１から、ランプソケット１０のスリーブ１１を放熱マスク２０に組合せる。そうすると、スリーブ１１の第１の押付部１１２が放熱マスク２０の一端に押付けられる。スリーブ１１の第１の結合部１１１にランプ枠３０の第２の結合部３２を結合するときに、スリーブ１１の第１の押付部１１２とランプ枠３０の第２の押付部３３とが、両端からアルミ基板２４と放熱部２３とに押付けられ、これによりランプソケット１０、放熱マスク２０及びランプ枠３０を緊密に結合できる。
【００２４】
このように、本考案の一実施例のＬＥＤ電球用組合せ式放熱構造によれば、ねじ穴を加工する工程と螺子を使用することが不要で、互いに組付けて結合することができ、組付作業が簡単で製品の不良率を減少できる。
【００２５】
このように、本考案の特定の例を参照して説明したが、それらの例は説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２６】
本考案は、ＬＥＤ電球に適用することができる。
【符号の説明】
【００２７】
１０    ランプソケット
１１    スリーブ
１２    収容空間
１３    金属ジョイント
１４    回路板
２０    放熱マスク
２１    貫通孔
２２    放熱フィン
２３    放熱部
２４    アルミ基板
３０    ランプ枠
３１    第２の嵌合部
３２    第２の結合部
３３    第２の押付部
３４    第１の定位部
４０    ＬＥＤ照明器具
４１    第１の嵌合部
５０    笠
５１    貫通孔
１１１  第１の結合部
１１２  第１の押付部
２３１  案内溝
２３２  組付溝
２４１  第２の定位部
【図１】
0003177084.tif 000003
【図２】
0003177084.tif 000004
【図３】
0003177084.tif 000005